(57)【特許請求の範囲】
【請求項１】
主管路部と前記主管路部から立ち上がる分岐管路部とを含む異形管、前記主管路部に接続される主管路、および前記分岐管路部に接続される分岐管路を有するポリオレフィン製水道管路の異形部を被覆する、かつ汚染物質の浸透を防止可能な材料で形成される浸透対策シートであって、
その一方端部に前記主管路の一方側が挿通される第１開口と前記主管路部の一方端部を覆う端部被覆部とが設けられ、かつ、その他方端部に第１切込みが設けられる筒状の第１主管路シート、
その一方端部に前記主管路の他方側が挿通される第２開口と前記主管路部の他方端部を覆う端部被覆部とが設けられ、かつ、その他方端部に第２切込みが設けられる筒状の第２主管路シート、および
その一方端部に前記分岐管路が挿通される第３開口と前記分岐管路部を覆う分岐管路被覆部とが設けられ、かつ、その他方端部に２つの第３切込みと、２つの前記第３切込みの間で前記分岐管路被覆部に一体的に形成されて対向する２つの主管路被覆部とが設けられる筒状の分岐管路シートを備え、
前記主管路部において、前記第１主管路シートの前記他方端部と前記第２主管路シートの前記他方端部と前記分岐管路シートの前記主管路被覆部とが重ねられ、
前記第１主管路シートの前記端部被覆部が前記主管路部および前記主管路のいずれか一方の一方端部に固定部材で固定され、
前記第２主管路シートの前記端部被覆部が前記主管路部および前記主管路のいずれか一方の他方端部に固定部材で固定され、
前記分岐管路被覆部が前記分岐管路部および前記分岐管路のいずれか一方に前記固定部材で固定される、浸透対策シート。
【請求項２】
主管路部と前記主管路部から立ち上がる分岐管路部とを含む異形管、前記主管路部に接続される主管路、および前記分岐管路部に接続される分岐管路を有するポリオレフィン製水道管路の異形部を被覆する、かつ汚染物質の浸透を防止可能な材料で形成される浸透対策シートであって、
前記異形管をその内部に挿通可能な大きさに形成される、前記分岐管路部より大径の開口を有する、かつその両端のそれぞれに前記主管路部が挿通される第１開口と第２開口とを有する筒状の主管路被覆部、および
前記大径の開口の周縁から連続的に立ち上がって前記主管路被覆部に一体的に形成される、かつその先端に前記分岐管路部が挿通される第３開口を有する筒状の分岐管路被覆部を備え、
前記主管路被覆部で前記主管路部が覆われた後、前記主管路被覆部の両端部のそれぞれが前記主管路部および前記主管路のいずれか一方に固定部材で固定され、
前記分岐管路被覆部で前記分岐管路部が覆われた後、前記分岐管路被覆部の先端部が前記分岐管路部および前記分岐管路のいずれか一方に前記固定部材で固定される、浸透対策シート。
【発明の詳細な説明】
【０００１】
【産業上の利用分野】
この発明はポリオレフィン製水道管路の異形部用浸透対策シートに関し、特にたとえば、ガソリン，灯油，有機溶剤等のような汚染物質による土壌汚染地域あるいはそのおそれのある地域に埋設されるポリオレフィン製水道管路の異形部に装着されて、管路内への汚染物質の浸透を防止する、ポリオレフィン製水道管路の異形部用浸透対策シートに関する。
【０００２】
【従来の技術】
ポリオレフィン管は耐薬品性や屈曲性に優れているため、これを水道管路に用いることが一般に行われている。しかしながら、ポリオレフィン系合成樹脂は、これと溶解度パラメータが近いガソリン，灯油等のような有機溶剤に対しては十分な耐性がなく、接触した場合には膨潤によって分子密度が低下して有機溶剤が浸透するおそれがある。ここで、ガソリン，灯油または有機溶剤等のポリオレフィン系合成樹脂に浸透するおそれのあるものを汚染物質というものとする。そして、汚染物質によって土壌が汚染された地域またはそのおそれのある地域（たとえばガソリンスタンド，車両工場，化学工場等の周辺地域）において、ポリオレフィン管をそのまま使用して水道管路を埋設した場合には、管路内の水道水に臭気が移行してしまい、その水道水を飲料水として用いることができなくなるおそれがあった。
【０００３】
そこで、汚染物質による土壌汚染地域にポリオレフィン製水道管路を埋設する際には、たとえば、金属製管や塩ビ管等が鞘管として使用され、または、図１４に示すように、浸透防止性を有する円筒状のスリーブ１が使用されて、このスリーブ１内に管路を構成するポリオレフィン管２が挿通されて被覆される。このスリーブ１は、たとえば、ポリオレフィン系樹脂よりもガス透過率の小さいナイロンまたはエチレンビニルアルコール等のような材料からなる層を含む構造のシートないしフィルムにより構成され、したがって、汚染物質を遮断することができる。このように、ポリオレフィン製水道管路の直管部においては、簡単に汚染物質の浸透対策が施される。
【０００４】
他方、ポリオレフィン製水道管路の異形部（分岐部，バルブ接合部等）においては、その形状が複雑であるために、直管用のスリーブ１をそのまま使用することができない。そこで、従来、スリーブ１に対して施工現場で多数の切込みないし切れ目を入れたり切り開いたりする等の加工を施し、これを異形部に巻き付けたり重ね合わせたりすることによって異形部を覆うようにしていた。
【０００５】
【発明が解決しようとする課題】
しかし、従来技術では、このような煩雑な作業を施工現場で行わねばならないので、作業性が悪かった。しかも、煩雑な作業のため作業者による質の差が生じ易く、場合によっては切込みや重ね合わせ部分等の間に隙間が生じてしまって、隙間から汚染物質が侵入するなどシール性の問題もあり、スリーブによる浸透防止効果が失われてしまうおそれがあった。
【０００６】
それゆえに、この発明の主たる目的は、作業性を向上でき、しかも浸透防止性を向上できる、ポリオレフィン製水道管路の異形部用浸透対策シートを提供することである。
【０００９】
【課題を解決するための手段】
請求項１の発明は、主管路部と主管路部から立ち上がる分岐管路部とを含む異形管、主管路部に接続される主管路、および分岐管路部に接続される分岐管路を有するポリオレフィン製水道管路の異形部を被覆する、かつ汚染物質の浸透を防止可能な材料で形成される浸透対策シートであって、その一方端部に主管路の一方側が挿通される第１開口と主管路部の一方端部を覆う端部被覆部とが設けられ、かつ、その他方端部に第１切込みが設けられる筒状の第１主管路シート、その一方端部に主管路の他方側が挿通される第２開口と主管路部の他方端部を覆う端部被覆部とが設けられ、かつ、その他方端部に第２切込みが設けられる筒状の第２主管路シート、およびその一方端部に分岐管路が挿通される第３開口と分岐管路部を覆う分岐管路被覆部とが設けられ、かつ、その他方端部に２つの第３切込みと、２つの第３切込みの間で分岐管路被覆部に一体的に形成されて対向する２つの主管路被覆部とが設けられる筒状の分岐管路シートを備え、主管路部において、第１主管路シートの他方端部と第２主管路シートの他方端部と分岐管路シートの主管路被覆部とが重ねられ、第１主管路シートの端部被覆部が主管路部および主管路のいずれか一方の一方端部に固定部材で固定され、第２主管路シートの端部被覆部が主管路部および主管路のいずれか一方の他方端部に固定部材で固定され、分岐管路被覆部が分岐管路部および分岐管路のいずれか一方に固定部材で固定される、浸透対策シートである。
【００１０】
請求項２の発明は、主管路部と主管路部から立ち上がる分岐管路部とを含む異形管、主管路部に接続される主管路、および分岐管路部に接続される分岐管路を有するポリオレフィン製水道管路の異形部を被覆する、かつ汚染物質の浸透を防止可能な材料で形成される浸透対策シートであって、異形管をその内部に挿通可能な大きさに形成される、分岐管路部より大径の開口を有する、かつその両端のそれぞれに主管路部が挿通される第１開口と第２開口とを有する筒状の主管路被覆部、および大径の開口の周縁から連続的に立ち上がって主管路被覆部に一体的に形成される、かつその先端に分岐管路部が挿通される第３開口を有する筒状の分岐管路被覆部を備え、主管路被覆部で主管路部が覆われた後、主管路被覆部の両端部のそれぞれが主管路部および主管路のいずれか一方に固定部材で固定され、分岐管路被覆部で分岐管路部が覆われた後、分岐管路被覆部の先端部が分岐管路部および分岐管路のいずれか一方に固定部材で固定される、浸透対策シートである。
【００１１】
【作用】
第１の発明の浸透対策シートは、異形部の形成前に、まず、分岐管路被覆部から分岐管に被せられる。そして、この浸透対策シートを異形部側から分岐管路側へ避けておいて、異形管と主管路および分岐管路とをそれぞれ接続して異形部を形成する。異形部の形成後、避けておいた浸透対策シートを異形部へ移動させ、分岐管路被覆部に分岐管路部を挿通させてこれを覆うとともに、２つ主管路被覆部を主管路部の両側面にそれぞれ覆い被せる。そして、２つの主管路被覆部で主管路部の外周を包み込むようにして、互いに重ねることによって主管路部の外周を覆う。その後、固定部材を装着することによって浸透対策シートを異形部において固定する。このようにして、この浸透対策シートによって異形部の外周が簡単に被覆され、異形部に浸透防止対策が施される。
【００１２】
第２の発明の浸透対策シートは、異形部の形成前に、まず、一方端側の開口から主管路の一方側に被せられる。そして、この浸透対策シートを異形部側から主管路の一方側へ避けておいて、異形管と主管路および分岐管路とをそれぞれ接続して異形部を形成する。異形部の形成後、避けておいた浸透対策シートを異形部へ移動させ、主管路被覆部の一方端部に主管路部の一方端部を挿通させてこれを覆うとともに、分岐管路被覆部を分岐管路部の外面に被せ、主管路被覆部の他方端部を主管路部の他方端部に被せる。浸透対策シートは、第１切込みおよび第２切込みによって主管路の他方側および分岐管路側において開放されるので、分岐管路部を回避しつつ異形部に被せることができる。そして、主管路被覆部の第１切込みによる開放端部どうしを重ね、かつ、分岐管路被覆部の第２切込みによる開放端部どうしを重ねることによって、主管路部および分岐管路部の外周を覆う。その後、固定部材を装着することによって浸透対策シートを異形部において固定する。このようにして、この浸透対策シートによって異形部の外周が簡単に被覆され、異形部に浸透防止対策が施される。
【００１３】
第３の発明の浸透対策シートは、複数のシート部材、すなわち、第１主管路シート，第２主管路シートおよび分岐管路シートを含む。この浸透対策シートにおいては、異形部の形成前に、まず、第１主管路シートが主管路の一方側の管端部に第１開口側から被せられ、第２主管路シートが主管路の他方側の管端部に第２開口側から被せられ、分岐管路シートが分岐管の端部に分岐管路被覆部から被せられる。次に、各シートを異形部から避けておいて、異形管と分岐管および主管路とをそれぞれ接続する。異形部の形成後、第１主管路シート，第２主管路シートおよび分岐管路シートを順に異形部へ移動させてこれを覆う。第１主管路シートおよび第２主管路シートには、それぞれ第１切込みおよび第２切込みが分岐管路側において形成されているため、分岐管路部を回避しつつ主管路部に被せることができる。そして、主管路部の一方端部は第１主管路シートの一方端部に挿通されて覆われ、主管路部の他方端部は第２主管路シートの一方端部に挿通されて覆われ、分岐管路部は分岐管路シートの分岐管路被覆部に挿通されて覆われる。それとともに、主管路部の外面においては、第１主管路シートの他方端部と第２主管路シートの他方端部と分岐管路シートの主管路被覆部とが重ねられ、主管路部の外周が被覆される。その後、固定部材を装着することによってこの浸透対策シートを異形部に固定する。このようにして、複数のシート部材を組み合わせることによって簡単に異形部の外周が被覆され、異形部に浸透防止対策が施される。
【００１４】
第４の発明の浸透対策シートは、異形部の形成前に、まず、主管路の一方側の管端部に主管路被覆部の一方端の開口から被せられる。次に、この浸透対策シートを異形部から主管路側へ避けておいて、異形管と主管路とを接続する。接続後、避けておいた浸透対策シートを異形管の位置へ移動させる。主管路被覆部の大きさは異形管を挿通可能にされているので、異形管を主管路被覆部内に収容できる。続いて、分岐管路被覆部に異形管の分岐管路部を差し込む。そして、異形管と分岐管とを接続するために、接続部分から分岐管路被覆部を避けておいて、分岐管路部と分岐管とを接続する。接続後、分岐管路被覆部に分岐管路部を挿通してこの外周を覆うとともに、主管路部の外周を主管路被覆部で覆う。その後、固定部材を装着することによって、この浸透対策シートを異形部に固定する。このようにして、この浸透対策シートによって異形部の外周が簡単に被覆され、異形部に浸透防止対策が施される。
【００１５】
【発明の効果】
この発明によれば、施工現場でシートに切込みを入れたり、シートを切り開いたりすることなく、簡単に異形部を被覆することができ、したがって、作業性を向上できる。さらに、簡単に被覆できるので隙間が生じ難くなり、隙間から汚染物質が侵入するようなおそれがなくなる。したがって、シール性を向上でき、ひいては浸透防止性を向上できる。
【００１６】
この発明の上述の目的，その他の目的，特徴および利点は、図面を参照して行う以下の実施例の詳細な説明から一層明らかとなろう。
【００１７】
【実施例】
図１に示すこの実施例のポリオレフィン製水道管路の異形部用浸透対策シート（以下、単に「浸透対策シート」という。）１０は、たとえば、ガソリン，灯油，有機溶剤等のような汚染物質による土壌汚染地域あるいはそのおそれのある地域において埋設されるポリオレフィン製水道管路の異形部１２（図１中、二点鎖線で示される）に装着されて、管路内への汚染物質の浸透を防止するためのものである。
【００１８】
ここで、異形部とは、管路において主管路から立ち上がって分岐される部分をいい、具体的には、たとえばチーズまたはサドルあるいはＴ字管やＹ字管等のような異形管を用いて構成される分岐部等を含み、また被覆の必要があればバルブ接合部等であってもよい。したがって、異形部１２は、後述および図示される異形管（チーズ）１２ａによるものに限定されず適宜変更され得る。また、異形部１２は、主管路１４に接続される主管路部１６および主管路１４から立ち上がって分岐管路１８に接続される分岐管路部２０を含む。
【００１９】
浸透対策シート１０は、汚染物質の浸透を防止可能な浸透防止性を有する材料で形成されるものであり、たとえば、ポリオレフィン系樹脂よりもガス透過率の小さいナイロンまたはエチレンビニルアルコール等のような材料からなる層を含む構造のシートないしフィルムに等よって構成される。詳しくは、浸透対策シート１０は、たとえば、共押出等によって、ナイロン，エチレンビニルアルコール等からなる内層の上下に接着層を介してポリオレフィン系合成樹脂等からなる外層が積層された５層構造を有するものであってよいし、単にナイロン層またはエチレンビニルアルコール層の外側に接着層を介してポリオレフィン層を積層した３層構造を有するもの等であってもよい。市販品ではたとえば宇部フィルム株式会社製の「シュペレン」（商品名）等が構成材として用いられ得る。浸透対策シート１０は、このような浸透防止性を有するフィルム等の構成材を使用して異形部１２の形状に合う形状に成形される。
【００２０】
この実施例の浸透対策シート１０は、分岐管路部２０が挿通される開口２２ａを有する分岐管路被覆部２２、および分岐管路被覆部２２と一体的に形成されて主管路部１６の外周を覆う２つ（２枚）の対向する主管路被覆部２４ａおよび２４ｂを含む。主管路被覆部２４ａおよび２４ｂは、開口２２ａを規定する周縁における対向する位置から延びて形成される。
【００２１】
具体的には、浸透対策シート１０は、たとえば矩形状等にされた薄板状の本体ないし被覆部２４を含み、被覆部２４の所定位置に分岐管路部２０より大径の開口２２ａが形成され、この開口２２ａの周縁から連続的に分岐管路被覆部２２が立ち上がって略筒状に形成される。被覆部２４の大きさは、主管路部１６を覆うことができるように、たとえば主管路部１６の外面よりも大きくされ、少なくともその長さ（主管路部１６の外周方向に対応する方向の大きさ）は、主管路部１６の外径よりも大きく設定される。この被覆部２４の開口２２ａから見て長さ方向の一方側が一方の主管路被覆部２４ａとなり、他方側が他方の主管路被覆部２４ｂとなる。この実施例では、一方の主管路被覆部２４ａが短く、他方の主管路被覆部２４ｂが長く設定されており、さらに、一方の主管路被覆部２４ａの長さは主管路部１６の外面に沿って被覆したときにその底部を越えないように設定されている。これら２つの主管路被覆部２４ａおよび２４ｂを重ね合わせることによって、主管路部１６の外周が覆われる。また、分岐管路被覆部２２の高さは、分岐管路部２０を覆うことができるように、望ましくは分岐管路部２０の高さよりも大きく設定される。分岐管路被覆部２２は全周にわたって連続する筒状体であり、差し込むことで分岐管路部２０の外周が覆われる。
【００２２】
なお、後述するように主管路１４および分岐管路１８には従来技術のスリーブ等が装着され、主管路部１６の両端部付近および分岐管路部２０の上端部付近でこれらの端部が重ねられるので、被覆部２４の幅（主管路部１６の軸方向に対応する方向の長さ）および分岐管路被覆部２２の高さは、少なくともこれらスリーブ等と重なり合うことが可能な程度に設定されていればよい。
【００２３】
また、浸透対策シート１０の製造方法は任意であるが、浸透対策シート１０は、たとえば略筒状に成形した分岐管路被覆部２２と開口を形成した被覆部２４とを準備し、分岐管路被覆部２２の下端縁部分と被覆部２４の開口の周縁部分とを重ね合わせて溶着すること等によって形成され得る。
【００２４】
浸透対策シート１０を使用する際には、水道管路の異形部１２の施工現場に浸透対策シート１０を持ち込む。そして、異形部１２の形成前に、まず、図２（Ａ）に示すように、分岐管路１８を構成するポリオレフィン製の分岐管１８ａの端部に分岐管路被覆部２２の上端（先端）からこの浸透対策シート１０を被せる。次に、図２（Ｂ）に示すように、この浸透対策シート１０を接続が行われる異形部１２の位置から分岐管路１８側へ避けてあるいは逃がしておいて、異形部１２を形成する。つまり、たとえば、分岐管１８ａの接続口（この実施例では差口）と異形管１２ａの分岐管路部２０の接続口（この実施例では受口）とを熱融着または電気融着等によって接続する。また、この接続後または前に、異形管１２ａの主管路部１６の両接続口（この実施例では受口）と主管路１４を構成するポリオレフィン製の管１４ａおよび１４ｂの接続口（この実施例では差口）とを同様に熱融着等によってそれぞれ接続する。なお、浸透対策シート１０を異形部１２から逃がしておくのは、接合作業の妨げになるのを防止するとともに、融着等の接合の影響が浸透対策シートに及ばないようにする等のためである。異形部１２を形成した後、逃がしておいた浸透対策シート１０を異形部１２へ移動させて、図２（Ｃ）に示すように、その分岐管路被覆部２２に分岐管路部２０を挿通させて分岐管路部２０を覆うとともに、主管路被覆部２４ａおよび２４ｂを主管路部１６の両側面にそれぞれ垂れ下げるようにしてこれに覆い被せる。
【００２５】
そして、２つの主管路被覆部２４ａおよび２４ｂで主管路部１６の外周を包み込むようにして、これらを互いに重ねることによって主管路部１６の外周を被覆する。たとえば、まず、他方の主管路被覆部２４ｂを主管路部１６の外面に添わせて巻き回すようにし、次に、一方の主管路被覆部２４ａの端部を他方の主管路被覆部２４ｂの外面側に重ねることによって、主管路部１６の外周を覆う。この実施例では、一方の主管路被覆部２４ａの長さが主管路部１６の底部を越えない程度に設定され、かつ、一方の主管路被覆部２４ａが外面側となるように重ねているので、重ね合わせ部分の切れ目（継ぎ目）を下向きとすることができ、したがって、この継ぎ目からは汚染物質が侵入し難くなる。
【００２６】
そして、図３に示すように、ゴムバンド，紐または粘着テープ等のような固定部材２６を、たとえば主管路部１６の両端側で締結または貼着等することにより装着し、主管路被覆部２４ａおよび２４ｂを主管路１４または主管路部１６に固定して、密着シールするとともに、分岐管路部２０の上端側で固定部材２６を同様に装着し、分岐管路被覆部２２を分岐管路１８または分岐管路部２０に固定して、密着シールする。また、汚染物質の侵入防止をより確かなものとするために、重ね合わせ部分の継ぎ目やシートと管路との継ぎ目等には、たとえば、１／２ラップでアルミテープ巻きし、さらに防食のために、防食テープ巻きするようにしてもよい。このようにして、この浸透対策シート１０によって異形部１２の外周が簡単に被覆され、異形部１２に浸透防止対策が施される。
【００２７】
なお、主管路１４および分岐管路１８の外周には、たとえば従来技術で示した直管部用のスリーブ等が、浸透対策シート１０により被覆された主管路部１６の両端部および分岐管路部２０の上端部にそれぞれ重ねられた状態で装着され、浸透防止対策が施される。
【００２８】
この実施例によれば、施工現場で浸透対策シート１０に切込みを入れたり、浸透対策シート１０を切り開いたりする必要がなく、簡単に異形部１２を被覆することができ、したがって、作業性を向上できる。さらに、簡単に被覆できるので、隙間が生じ難くなり、汚染物質がこの隙間から侵入するようなおそれがなくなる。したがって、シール性を向上でき、ひいては浸透防止性を向上できる。
【００２９】
なお、図１実施例では、分岐管路被覆部２２を被覆部２４に形成された開口から略筒状に設けるようにしているが、分岐管路被覆部２２はこれに限定されるものではなく、たとえば、図４に示すように、被覆部ないし本体２４の所定位置に放射状に切込み２８を形成することによって設けられてもよい。この実施例では、たとえば、幅方向略中央かつ長さ方向一方端側において、放射状に切込み２８が形成され、切込み２８の長さは分岐管路部２０の径の半分よりも大きく設定される。そして、この切込み２８形成により形成される複数の切込み片３０が分岐管路被覆部２２に相当する。
【００３０】
この浸透対策シート１０（図４実施例）では、図５に示すように、切込み２８の形成によって形成されることとなる開口（孔）に分岐管路部２０が挿通され、図１実施例の場合と同様にして異形部１２が被覆される。つまり、分岐管路部２０が分岐管路被覆部２２（切込み片３０）で覆われるとともに、一方の主管路被覆部２４ａを他方の主管路被覆部２４ｂに重ねることによって主管路部１６の外周が被覆される。そして、固定部材２６を装着することによって浸透対策シート１０は異形部１２に固定される。なお、この実施例でも、図１実施例と同様に、主管路被覆部２４ａおよび２４ｂの重ね合わせ部分の継ぎ目や切込み片３０の継ぎ目等には、アルミテープ巻きおよび防食テープ巻き等を施してもよいのは言うまでもない。
【００３１】
また、上述の各実施例では、分岐管路部２０が挿通される分岐管路被覆部２２を形成するようにしているが、浸透対策シートは主管路部１６のいずれか一方側端部が挿通される開口が設けられた主管路被覆部を形成するようにしてもよい。
【００３２】
すなわち、たとえば、図６に示す他の実施例の浸透対策シート３２は、その一方端部に主管路部１６の一方側が挿通される開口３４が設けられて主管路部１６の外周を覆う主管路被覆部３６，および主管路被覆部３６と一体的に形成されて分岐管路部２０の外周を覆う分岐管路被覆部３８を含む。主管路被覆部３６の他方端部には第１切込み４０が設けられ、分岐管路被覆部３８における主管路部１６の他方側には第１切込み４０と連続する第２切込み４２が設けられる。
【００３３】
具体的には、主管路被覆部３６はたとえば略筒状に形成され、その軸方向略中央部において分岐管路１８側に分岐管路部２０よりも大径の開口が形成され、この開口の周縁から連続的に分岐管路被覆部３８が立ち上がって略筒状に形成される。そして、第１切込み４０が分岐管路１８側において他方端から分岐管路被覆部３８（その開口）まで軸方向に延びて形成され、第２切込み４２が分岐管路被覆部３８の上端から基端（開口）までその軸方向に延びて形成されて、第１切込み４０と第２切込み４２とが連続される。これら第１切込み４０および第２切込み４２によって、浸透対策シート３２は、その主管路１４の他方側と分岐管路１８側とで挟まれる範囲の部分において切り開かれて開放される。また、主管路被覆部３６の径および長さは、たとえば主管路部１６の外径および軸方向長さよりもそれぞれ大きく設定され、分岐管路被覆部３８の高さは、望ましくは分岐管路部２０の高さより大きく設定される。そして、主管路被覆部３６の一方端部が主管路部１６の一方端部を覆う略筒状の端部被覆部３６ａとなり、主管路被覆部３６の他方端部が主管路部１６の他方端部を覆う略筒状の端部被覆部３６ｂとなる。端部被覆部３６ａは全周にわたって連続する筒状体であり、差し込むことで主管路部１６の一方端部が覆われる。
【００３４】
この浸透対策シート３２を用いて異形部１２を被覆する際には、異形部１２の形成前に、まず、図７（Ａ）に示すように、主管路１４の一方側の管１４ａ端部に一方端側の開口３４からこの浸透対策シート３２を被せる。次に、図７（Ｂ）に示すように、この浸透対策シート３２を接続が行われる異形部１２から主管路１４の一方側へ逃がしておいて、異形管１２ａと分岐管１８ａならびに管１４ａおよび１４ｂとを融着等によってそれぞれ接続する。異形部１２の形成後、逃がしておいた浸透対策シート３２を異形部１２へ移動させる。そして、図７（Ｃ）に示すように、開口３４に主管路部１６の一方端部を挿通させてこれを端部被覆部３６ａで覆うとともに、分岐管路被覆部３８を分岐管路部２０の外面に覆い被せ、かつ、主管路被覆部３６の他方端部３６ｂを主管路部１６の他方端部に覆い被せる。浸透対策シート３２は、上述のように第１切込み４０および第２切込み４２によって主管路１４の他方側および分岐管路１８側において開放されているので、分岐管路部１６を回避することができ、したがって、異形部１２に移動させて被せることができる。
【００３５】
そして、たとえば、図８に示すように、端部被覆部３６ｂの周方向一方の開放端部をその他方の開放端部に重ね、かつ、分岐管路被覆部３８の周方向一方の開放端部をその他方の開放端部に重ねることによって、主管路部１６および分岐管路部２０の外周を覆う。その後、図１実施例と同様に、固定部材２６を適宜装着することによって、浸透対策シート３２を異形部１２に固定する。このようにして、この浸透対策シート３２によって異形部１２の外周が被覆され、異形部１２に浸透防止対策が施される。この他の実施例によっても、上述の各実施例と同様に、作業性を向上でき、浸透防止性を向上できる。
【００３６】
また、上述の各実施例では、１つの部材からなる浸透対策シートで異形部１２を被覆するようにしているが、複数のシート部材を組み合わせてなる浸透対策シートで異形部１２を被覆するようにしてもよい。
【００３７】
すなわち、たとえば、図９に示す他の実施例の浸透対策シート４４は、主管路部１６の一方側から異形部１２に被せられる第１主管路シート４６，主管路部１６の他方側から異形部１２に被せられる第２主管路シート４８，および分岐管路部２０側から異形部１２に被せられる分岐管路シート５０を含む。
【００３８】
第１主管路シート４６は、その一方端部に設けられて主管路部１６の一方側が挿通される第１開口５２およびその他方端部に設けられる第１切込み５４を含む。具体的には、第１主管路シート４６は主管路部１６の外径よりも大きい内径を有して略筒状に形成され、他方端部の分岐管路１８側において他方端から軸方向に延びる第１切込み５４が形成され、第１切込み５４の形成されない一方端部が主管路部１６の一方端部を覆う端部被覆部４６ａとなる。この端部被覆部４６ａの軸方向長さは、主管路部１６の一方側を覆うことができるようにこの主管路部１６の一方側の長さよりも大きく設定され、第１切込み５４の形成される他方端部の長さは第２主管路シート４８の他方端部と重なるように適宜に設定される。この第１切込み５４によって他方端部の分岐管路１８側が開放されるので、分岐管路部２０を回避して装着することができ、また、この他方端部が主管路部１６の中央部分および他方側を覆う被覆部ともなる。
【００３９】
第２主管路シート４８は、その一方端部に設けられて主管路部１６の他方側が挿通される第２開口５６およびその他方端部に設けられる第２切込み５８を含む。第２主管路シート４８は第１主管路シート４６と同様に形成されるので説明は省略する。
【００４０】
分岐管路シート５０は、分岐管路部２０が挿通される第３開口６０ａを有する分岐管路被覆部６０、および分岐管路被覆部６０に一体的に形成される２つ（２枚）の対向する主管路被覆部６２ａおよび６２ｂを含む。
【００４１】
具体的には、分岐管路シート５０は分岐管路部２０の外径よりも大きい内径を有して略筒状に形成され、その他方端部（下端部）には、他方端からシート５０の軸方向に延びる２つの第３切込み６４が、主管路部１６軸方向に対応する位置に形成される。第３切込み６４の形成されない一方端部（上端部）側が分岐管路被覆部６０となるとともに、２つの第３切込み６４が入れられることによって形成される２つの対向する切込み片が主管路被覆部６２ａおよび６２ｂとなる。第３開口部６０の軸方向長さは、たとえば分岐管路部２０を覆うことができるようにこの分岐管路部２０の高さよりも大きく設定され、主管路被覆部６２ａおよび６２ｂの長さは、第１主管路シート４６および第２主管路シート４８と重ねられるように適宜に設定され、この実施例では主管路部１６の両側面から底部をも覆うことができるようにされている。２つの第３切込み６４によって他方端部の主管路部１６軸方向が開放されるので、主管路部１６の両端部を避けて装着することが可能となる。
【００４２】
この浸透対策シート４４を用いて異形部１２を被覆する際には、異形部１２の形成前に、まず、第１主管路シート４６を主管路１４の一方側の管１４ａの端部に第１開口５２側から被せ、第２主管路シート４８を主管路１４の他方側の管１４ｂの端部に第２開口５６側から被せ、分岐管路シート５０を分岐管１８ａの端部に分岐管路被覆部６０側から被せておく。次に、各シート４６，４８および５０を接続が行われる異形部１２から逃がしておいて、異形管１２ａと分岐管１８ａならびに管１４ａおよび１４ｂとを融着等によってそれぞれ接続する。
【００４３】
異形部１２の形成後、異形部１２から避けておいた各シートを順に異形部１２に移動させてこれを覆う。たとえば、図１０（Ａ）に示すように、まず、第１主管路シート４６を異形部１２へ移動させ、端部被覆部４６ａに主管路部１６の一方端部を挿通させてこれを覆うとともに、他方端部の被覆部を主管路部１６の外面に被せる。次に、第２主管路シート４８を異形部１２に移動させ、端部被覆部４８ａに主管路部１６の他方端部を挿通させてこれを覆うとともに、他方端部の被覆部を第１主管路シート４６の外面側に被せて、第１主管路シート４６および第２主管路シート４８の端部どうしを重ねる。つまり、第１主管路シート４６の他方端部は、第２主管路シート４８の他方端部内に収容される。最後に、図１０（Ｂ）に示すように、分岐管路シート５０を異形部１２に移動させ、分岐管路被覆部６０に分岐管路部２０を挿通させてこれを覆うとともに、主管路被覆部６２ａおよび６２ｂを、主管路部１６の両側面において、重ねられた第１主管路シート４６および第２主管路シート４８の外面側にそれぞれ重ねる。そして、たとえば分岐管路シート５０の主管路被覆部６２ａおよび６２ｂを重ねることによって主管路部１６の外周を覆う。
【００４４】
なお、各シート４６，４８および５０の異形部１２への移動順および被覆順は上述のものに限定されず適宜変更され得る。つまり、たとえば、分岐管路シート５０の主管路被覆部６２ａおよび６２ｂは、第１主管路シート４６または第２主管路シート４８内に収容されてもよい。
【００４５】
その後、図１実施例等と同様に、固定部材２６を適宜装着することによってこの浸透対策シート４４を異形部１２に固定する。このようにして、３つのシート部材すなわち第１主管路シート４６，第２主管路シート４８および分岐管路シート５０を組み合わせることによって異形部１２の外周が簡単に被覆され、異形部１２に浸透防止対策が施される。この他の実施例によっても、上述の各実施例と同様に、作業性を向上でき、浸透防止性を向上できる。
【００４６】
なお、分岐管路シート５０の主管路被覆部６２ａおよび６２ｂは、換言すれば、分岐管路被覆部６０の基端（下端）の第３開口６０ａを規定する周縁においる対向する位置から延びて形成されるものでもある。したがって、上述の図９実施例（浸透対策シート４４）における分岐管路シート５０としては、図１実施例または図４実施例の浸透対策シート１０のような構成のものも適用され得る。
【００４７】
また、上述の各実施例では、切込みないし切れ目等を形成することによってシートを開放することで、装着時に主管路部１６や分岐管路部２０を回避できるようにしたり、あるいは開放された端部を重ねることで異形部１２を被覆できるようにしたりなどしているが、たとえば図１１に示す他の実施例の浸透対策シート６６のように、切込み等が形成されなくても異形部１２を簡単に被覆することができる。
【００４８】
図１１に示すように、浸透対策シート６６は、異形管１２ａをその内部に挿通可能な大きさに形成されて主管路部１６の外周を覆う主管路被覆部６８、および主管路被覆部６８に一体的に形成されて分岐管路部２０の外周を覆う分岐管路被覆部７０を含む。
【００４９】
具体的には、主管路被覆部６８は、異形管１２ａの高さ（主管路部１６の底から分岐管路部２０の上端までの高さ）よりも大きい内径を有して略筒状に形成される。また、主管路被覆部６８の長さは、たとえば主管路部１６の軸方向長さよりも大きく設定され、その両端部が主管路部１６の両端部をそれぞれ覆う端部被覆部となる。主管路被覆部６８の軸方向略中央部には分岐管路部２０より大径の開口が形成され、この開口の周縁から連続的に立ち上がってたとえば略筒状等の分岐管路被覆部７０が形成される。分岐管路被覆部７０の高さは望ましくは分岐管路部２０の高さよりも大きく設定される。
【００５０】
この浸透対策シート６６を用いて異形部１２を被覆する際には、異形部１２の形成前に、たとえば、まず、図１２（Ａ）に示すように、主管路１４の一方側の管１４ａの端部に主管路被覆部６８の一方端の開口からこの浸透対策シート６６を被せる。次に、図１２（Ｂ）に示すように、この浸透対策シート６６を接続が行われる異形部１２から主管路１４の一方側へ逃がしておいて、異形管１２ａと管１４ａおよび１４ｂとを融着等によってそれぞれ接続する。接続後、図１２（ｃ）に示すように、逃がしておいた浸透対策シート６６を異形管１２ａの位置へ移動させる。主管路被覆部６８の大きさは異形管１２ａを挿通可能にされているので、異形管１２ａを主管路被覆部６８内に収容できる。なお、浸透対策シート６６は、主管路１４の他方側の管１４ｂから被せるようにしてもよいのは勿論である。
【００５１】
次に、図１３（Ａ）に示すように、分岐管路被覆部７０に異形管１２ａの分岐管路部２０を差し込む。そして、異形管１２ａと分岐管１８ａとを接続するために、分岐管路被覆部７０をたとえばその基端側へ手繰りまたは引き寄せて縮めることによって、分岐管路部２０を露出させる。このように、接続部分から分岐管路被覆部７０を避けておいて、分岐管路部２０の接続口と分岐管１８ａの接続口とを融着等によって接続する。接続後、すなわち異形部１２の形成後、図１３（Ｂ）に示すように、縮めていた分岐管路被覆部７０を延ばして分岐管路部２０を覆う。また、主管路部１６の外周を主管路被覆部６８で覆う。その後、図１実施例等と同様に、固定部材２６を用いて主管路被覆部６８を固定するとともに、分岐管路被覆部７０を固定する。なお、主管路被覆部６８を固定する際には適宜折畳むようにしてよい。このようにして、この浸透対策シート６６によって異形部１２の外周が簡単に被覆され、異形部１２に浸透防止対策が施される。
【００５２】
この他の実施例によっても、上述の各実施例と同様に、作業性を向上でき、浸透防止性を向上できる。また、切込み等を全く形成しない場合には、異形部１２の外周を覆うためにたとえば端部を重ね合わせる等の作業が不要となり、単に異形部１２に被せるだけでよいので、作業性をより向上できる。しかも、隙間が発生するおそれがないのでシール性をより向上でき、したがって浸透防止性もより向上できる。
【図面の簡単な説明】
【図１】この発明の一実施例を示す図解図である。
【図２】図１実施例を用いて異形部を被覆する方法の一部を示す図解図である。
【図３】図１実施例の使用形態を示す図解図である。
【図４】図１実施例の変形例を示す図解図である。
【図５】図４実施例を異形部に被せた状態を示す図解図である。
【図６】この発明の他の実施例を示す図解図である。
【図７】図６実施例を用いて異形部を被覆する方法の一部を示す図解図である。
【図８】図６実施例を用いて異形部を被覆した状態を示す図解図である。
【図９】この発明の他の実施例を示す図解図である。
【図１０】図９実施例を用いて異形部を被覆する方法の一部を示す図解図である。
【図１１】この発明の他の実施例を示す図解図である。
【図１２】図１１実施例を用いて異形部を被覆する方法の一部を示す図解図である。
【図１３】図１１実施例を用いて異形部を被覆する方法の他の一部を示す図解図である。
【図１４】従来技術を示す図解図である。
【符号の説明】
１０，３２，４４，６６  …ポリオレフィン製水道管路の異形部用浸透対策シート
１２  …異形部
１２ａ  …異形管
１６  …主管路部
２０  …分岐管路部
２２，３８，６０，７０  …分岐管路被覆部
２２ａ  …開口
２４ａ，２４ｂ，３６，６２，６８  …主管路被覆部
４０，５４  …第１切込み
４２，５８  …第２切込み
４６  …第１主管路シート
４８  …第２主管路シート
５０  …分岐管路シート
５２  …第１開口
５６  …第２開口
６０ａ  …第３開口
【図１】
0003942461.tif 000002
【図２】
0003942461.tif 000003
【図３】
0003942461.tif 000004
【図４】
0003942461.tif 000005
【図５】
0003942461.tif 000006
【図６】
0003942461.tif 000007
【図７】
0003942461.tif 000008
【図８】
0003942461.tif 000009
【図９】
0003942461.tif 000010
【図１０】
0003942461.tif 000011
【図１１】
0003942461.tif 000012
【図１２】
0003942461.tif 000013
【図１３】
0003942461.tif 000014
【図１４】
0003942461.tif 000015